(57)【要約】【課題】回動規制部材によるインナーロータの回動規制を確実に実行可能としつつ小形化を図る。【解決手段】上シェル４とディスクアクセス用の開口部３ａが形成された下シェル３とを有するカートリッジ本体２、開口部３ａを閉塞する閉塞位置と開口部３ａを開口する開口位置との間において回動可能にカートリッジ本体２内に収容されたインナーロータ７、および、カートリッジ本体２に軸支されると共に閉塞位置におけるインナーロータ７に係合して開口位置に向けての回動を規制するロック部材８（回動規制部材）を備え、インナーロータ７は、ロック部材８が係合可能な係合用凸部４５が下シェル３側の一面に形成され、ロック部材８は、少なくともインナーロータ７の回動規制状態において係合用凸部４５に係合する係合側端部５１ａが下シェル３とインナーロータ７との間に挟み込まれるようにしてカートリッジ本体２内に収容されている。【選択図】図１
2007102967.tif 000002
【特許請求の範囲】
【請求項１】
第１シェルとディスクアクセス用の開口部が形成された第２シェルとを有するカートリッジ本体、前記開口部を閉塞する閉塞位置と当該開口部を開口する開口位置との間において回動可能に前記カートリッジ本体内に収容されたインナーロータ、および、前記カートリッジ本体に軸支されると共に前記閉塞位置に回動させられた前記インナーロータに係合して前記開口位置に向けての回動を規制する回動規制部材を備え、
前記インナーロータは、前記回動規制部材が係合可能な係合用凸部が前記第２シェル側の一面に形成されて構成され、
前記回動規制部材は、少なくとも前記インナーロータの回動を規制している状態において前記係合用凸部に係合する側の一端部が前記第２シェルと前記インナーロータとの間に挟み込まれるようにして前記カートリッジ本体内に収容されているカートリッジケース。
【請求項２】
前記係合用凸部は、その高さが前記回動規制部材における前記一端部の厚みよりも高くなるように形成され、
前記第２シェルは、前記係合用凸部の先端部を嵌入可能な溝部が当該インナーロータ側の一面に形成されて構成されている請求項１記載のカートリッジケース。
【請求項３】
前記回動規制部材は、前記インナーロータの回動を規制している状態において前記インナーロータの外縁部に当接するストッパが形成されている請求項１または２記載のカートリッジケース。
【請求項４】
請求項１から３のいずれかに記載のカートリッジケース内にディスク状記録媒体が収容されているディスクカートリッジ。
【発明の詳細な説明】
【技術分野】
【０００１】
本発明は、カートリッジ本体内にインナーロータと回動規制部材とが収容されたカートリッジケース、およびそのカートリッジケース内にディスク状記録媒体が収容されたディスクカートリッジに関するものである。
【背景技術】
【０００２】
この種のカートリッジケースを備えたディスクカートリッジが特開２００３−１１５１５５号公報に開示されている。このディスクカートリッジは、上シェルおよび下シェルからなるカートリッジ本体内にインナーロータおよび一対のシャッタ等が収容されてカートリッジケースが構成されると共に、このカートリッジケース内にディスク（ディスク状記録媒体）が収容されて構成されている。この場合、インナーロータは、下シェルに形成されたピックアップ挿入孔（ディスクアクセス用の開口部）を一対のシャッタと相俟って開口可能に閉塞する部材であって、円形薄板状の底部における外縁部に外周壁が形成されて全体として浅皿状に形成されている。また、インナーロータの底部には、下シェルのピックアップ挿入孔と同形状の開口部が形成されている。さらに、インナーロータの外周壁（外周面）には、ロック部材が係合することでインナーロータの回動を規制するための凹部が形成されている。一方、ロック部材は、ロック解除アーム、ロックアームおよびモールドばねの３つの棒状部材が一体形成されて全体としてＹ字状に形成されている。このロック部材は、下シェルにおける４つの角部のうちの１つに形成された支持ピンによってカートリッジ本体に対して回動可能に軸支されてインナーロータの側方に配置されている。
【０００３】
このディスクカートリッジをディスクドライブ装置（以下、「ドライブ装置」ともいう）に挿入した際には、まず、ドライブ装置のラック部材がロック部材におけるロック解除アームの先端部に当接することによってロック部材をカートリッジ本体（下シェル）に対して回動させる。この際には、ロック部材の回動に伴い、インナーロータの凹部に係合していたロックアームがインナーロータの外周面から離間して側方に退避させられる結果、ロック部材によるインナーロータの回動規制が解除される。次いで、ドライブ装置に対してディスクカートリッジをさらに奥深くまで挿入することにより、ラック部材がインナーロータの外周壁に噛合してインナーロータをカートリッジ本体に対して回動させる。これにより、下シェルのピックアップ挿入孔とインナーロータの開口部とがディスクカートリッジの厚み方向において重なり合った状態となり、カートリッジケース内のディスクに対するディスクアクセスが許容される。
【特許文献１】特開２００３−１１５１５５号公報（第２−１０頁、図１−３２）
【発明の開示】
【発明が解決しようとする課題】
【０００４】
ところが、従来のディスクカートリッジには、以下の問題点がある。すなわち、従来のディスクカートリッジでは、インナーロータの回動を規制するためのロック部材をカートリッジ本体内におけるインナーロータの側方に配置し、インナーロータの外周面にロックアームの先端部を係合させる構成が採用されている。一方、この種のディスクカートリッジには、デジタルビデオカメラ等の記録再生装置の小形化に伴い、その外径寸法を一層小さくすべきとの要請がある。この場合、インナーロータの外周面にロックアームを係合させる構成では、インナーロータの回動を許容する際にロックアームの先端部をインナーロータの側方から十分に離間させるために、ロック部材の回動軸をインナーロータの側方から十分に離間させた位置に設ける必要がある。したがって、インナーロータからロック部材をある程度離間させて軸支する必要があるため、カートリッジ本体内におけるロック部材による占有領域の割合が大きくなっている。また、従来のディスクカートリッジを構成している各部材について、これらと相似形となるように各部材を単に小さく形成してディスクカートリッジを小形化するときには、ロック部材の強度が不足して破損し易くなり、インナーロータの回動を確実に規制するのが困難となる。したがって、カートリッジケースの小形化に際してカートリッジ本体やインナーロータ等の部材と同じ縮小率でロック部材を小形化することができないため、カートリッジ本体内に収容したロック部材によって占有される領域の割合が大きくなることとなる。このように、インナーロータの側方にロック部材を配置している従来のディスクカートリッジには、インナーロータの周囲にロック部材を収容するための広い領域を確保する必要があるため、カートリッジ本体の小形化が困難であるという問題点が存在する。
【０００５】
本発明は、かかる問題点に鑑みてなされたものであり、回動規制部材によるインナーロータの回動規制を確実に実行可能としつつ小形化を図り得るカートリッジケースおよびディスクカートリッジを提供することを主目的とする。
【課題を解決するための手段】
【０００６】
上記目的を達成すべく本発明に係るカートリッジケースは、第１シェルとディスクアクセス用の開口部が形成された第２シェルとを有するカートリッジ本体、前記開口部を閉塞する閉塞位置と当該開口部を開口する開口位置との間において回動可能に前記カートリッジ本体内に収容されたインナーロータ、および、前記カートリッジ本体に軸支されると共に前記閉塞位置に回動させられた前記インナーロータに係合して前記開口位置に向けての回動を規制する回動規制部材を備え、前記インナーロータは、前記回動規制部材が係合可能な係合用凸部が前記第２シェル側の一面に形成されて構成され、前記回動規制部材は、少なくとも前記インナーロータの回動を規制している状態において前記係合用凸部に係合する側の一端部が前記第２シェルと前記インナーロータとの間に挟み込まれるようにして前記カートリッジ本体内に収容されている。
【０００７】
また、本発明に係るカートリッジケースは、その高さが前記回動規制部材における前記一端部の厚みよりも高くなるように前記係合用凸部が形成され、前記係合用凸部の先端部を嵌入可能な溝部が当該インナーロータ側の一面に形成されて前記第２シェルが構成されている。
【０００８】
さらに、本発明に係るカートリッジケースは、前記インナーロータの回動を規制している状態において前記インナーロータの外縁部に当接するストッパが前記回動規制部材に形成されている。
【０００９】
また、本発明に係るディスクカートリッジは、上記のいずれかに記載のカートリッジケース内にディスク状記録媒体が収容されている。
【発明の効果】
【００１０】
本発明に係るカートリッジケースによれば、回動規制部材が係合可能な係合用凸部をインナーロータにおける第２シェル側の一面に形成すると共に、少なくともインナーロータの回動を規制している状態において係合用凸部に係合する側の一端部が第２シェルとインナーロータとの間に挟み込まれるようにして回動規制部材をカートリッジ本体内に収容したことにより、インナーロータの側方にロック部材（回動規制部材）を配置してインナーロータの外周面にロックアームを係合させる構成の従来のディスクカートリッジとは異なり、インナーロータの回動を許容する際にインナーロータから回動規制部材の一端部を大きく離間させることなく、係合用凸部に対する一端部の係合を解除することができる結果、回動規制部材を軸支する回動軸をインナーロータの極く近傍に形成することができる。したがって、回動規制部材による占有領域を十分に小さくすることができる。この結果、十分な強度が得られるように回動規制部材を十分に大きく形成したとしても、カートリッジ本体（第１シェルおよび第２シェル）の外径寸法を十分に小さくすることができる。これにより、回動規制部材によるインナーロータの回動規制を確実に実行可能としつつ、カートリッジケースの小形化を図ることができる。
【００１１】
また、本発明に係るカートリッジケースによれば、その高さが回動規制部材における一端部の厚みよりも高くなるように係合用凸部を形成すると共に、係合用凸部の先端部を嵌入可能な溝部を第２シェルにおけるインナーロータ側の一面に形成したことにより、係合用凸部が回動規制部材の一端部を乗り越えることが防止されるため、係合用凸部と一端部との係合が解除されることなく、回動規制部材によるインナーロータの回動規制状態を確実に維持することができる。
【００１２】
さらに、本発明に係るカートリッジケースによれば、インナーロータの回動を規制している状態においてインナーロータの外縁部に当接するストッパを回動規制部材に形成したことにより、回動規制部材が必要以上に回動する事態を回避することができる結果、一端部が係合用凸部に係合している状態を確実に維持することができる。これにより、回動規制部材によるインナーロータの回動規制状態を一層確実に維持することができる。
【００１３】
また、本発明に係るディスクカートリッジによれば、上記のいずれかのカートリッジケース内にディスク状記録媒体を収容したことにより、回動規制部材による占有領域を十分に小さくすることができる結果、カートリッジケース内に十分に大きな（大径の）ディスク状記録媒体を収容して大容量のディスクカートリッジを提供することができる。また、ディスク状記録馬体の記録容量が十分のときには、カートリッジ本体（カートリッジケース）を一層小形化することができる。
【発明を実施するための最良の形態】
【００１４】
以下、添付図面を参照して、本発明に係るカートリッジケースおよびディスクカートリッジの最良の形態について説明する。
【００１５】
図１に示すディスクカートリッジ１は、各種記録データの記録および再生が可能に構成された情報記録媒体であって、カートリッジ本体２、シャッタ部材５，６、インナーロータ７およびロック部材８等を備えて構成されたカートリッジケース１ａ内に光ディスク１０が収納されて構成されている。この場合、光ディスク１０は、一例として、その直径が８ｃｍ程度の片面仕様の書き換え型のディスク状記録媒体であって、その中心部には、記録再生装置（図示せず）にチャッキング（クランプ）させるための直径１５ｍｍ程度の中心孔１０ａが形成されている。一方、図２に示すように、カートリッジ本体２は、互いに嵌合可能に、つまり重ね合わせが可能に樹脂材料で射出成形された下シェル３および上シェル４を備えている。この場合、上シェル４は、本発明における第１シェルに相当し、天板と、天板の外縁部に立設されてカートリッジ本体２の側面部分を構成する側壁とを備えて全体として浅皿状に形成されている。
【００１６】
一方、下シェル３は、本発明における第２シェルに相当し、図３に示すように、底板１１ａと、底板１１ａの外縁部に立設されて上シェル４の側壁と相俟ってカートリッジ本体２の側面部分を構成する側壁１１ｂと、カートリッジ本体２内にインナーロータ７等の収容領域を形成する隔壁１１ｃとを備えている。また、下シェル３の底板１１ａには、ディスクアクセス用開口部（以下、「開口部」ともいう）３ａが形成されている。この場合、開口部３ａは、記録データの記録再生時において、カートリッジケース１ａ内の光ディスク１０に対するディスクアクセス（記録再生装置によるチャッキングや、光学ヘッドを介してのレーザービームの照射等）が可能となるようにその開口領域が規定されている。また、下シェル３には、ディスクカートリッジ１を記録再生装置に装填した際に、装置内においてディスクカートリッジ１を記録再生位置に位置決めするための位置決め用凹部１２ａ，１２ｂおよび位置決め用孔１３ａ，１３ｂが形成されている。さらに、下シェル３の底板１１ａには、シャッタ部材５を軸支するための円筒状の凸部１４と、ロック部材８を軸支するための円筒状の凸部１５と、ねじりコイルばね９を軸支するための円筒状の凸部１６とが内面側に立設されている。また、下シェル３の底板１１ａには、後述するインナーロータ７の係合用凸部４５が嵌入可能な溝部１７がカートリッジ本体２の内面側（インナーロータ７側の一面）に形成されている。
【００１７】
シャッタ部材５，６は、例えば樹脂材料や金属材料（一例として、ステンレススチールやアルミニウム）で薄板状に成形されて下シェル３およびインナーロータ７の間に挟み込まれるようにしてカートリッジ本体２内に収容されている。この場合、図４に示すように、シャッタ部材５には、下シェル３における凸部１４の挿入が可能な取付用孔２１が形成されている。また、シャッタ部材５には、シャッタ部材６を軸支するための凸部２２と、後述するインナーロータ７の案内用スリット４３に挿入可能な凸部２３とが形成されている。一方、図５に示すように、シャッタ部材６には、シャッタ部材５における凸部２２の挿入が可能な取付用孔３１と、後述するようにインナーロータ７に形成された凸部４４の挿入が可能な案内用スリット３２とが形成されている。これらシャッタ部材５，６は、カートリッジ本体２に対するシャッタ部材５の回動に伴い、シャッタ部材５が下シェル３に対して回動させられると共に、シャッタ部材６がシャッタ部材５に対して回動させられることにより、インナーロータ７と相俟って下シェル３の開口部３ａを開口可能に閉塞する。
【００１８】
インナーロータ７は、図６に示すように、下シェル３に形成された開口部３ａとほぼ同じ形状の開口部７ａが形成された薄い円板状の主板４１ａと、主板４１ａの外縁部に立設された側壁４１ｂとを備えて光ディスク１０を載置可能な浅皿状に構成されている。また、インナーロータ７の側壁４１ｂにおける外周部には、記録再生装置におけるシャッタ開閉手段（図示せず）が係合可能な凸部４２ａ，４２ｂが形成されている。さらに、インナーロータ７の主板４１ａにおける裏面側（下シェル３側の一面）には、シャッタ部材６の案内用スリット３２に挿入可能な凸部４４と、ロック部材８が係合してインナーロータ７の回動を規制するための係合用凸部４５とが形成されている。この場合、図８に示すように、係合用凸部４５は、その高さ（主板４１ａからの突出長）がロック部材８における主板５１の厚みよりも十分に高くなるように形成されている。また、インナーロータ７は、シャッタ部材５，６と相俟って下シェル３の開口部３ａを閉塞する閉塞位置と、開口部３ａを開口する開口位置との間において記録再生装置におけるシャッタ開閉手段によってカートリッジ本体２に対して回動させられる。
【００１９】
ロック部材８は、本発明における回動規制部材に相当し、図７に示すように、長手方向の中央部に取付用孔５２が形成された主板５１と、主板５１に立設されたストッパ５３とが例えば樹脂材料で一体成形されている。このロック部材８は、図１に示すように、閉塞位置に回動させられたインナーロータ７の係合用凸部４５に係合してその回動を規制する側の係合側端部５１ａ（本発明における一端部）が下シェル３とインナーロータ７との間に挟み込まれるようにしてカートリッジ本体２内に収容される。また、ロック部材８は、その当接側端部５１ｂが位置決め用凹部１２ａ内に突出するようにして下シェル３の凸部１５に軸支されている。さらに、ロック部材８は、インナーロータ７の回動を規制している状態においてインナーロータ７の外縁部（側壁４１ｂ）にストッパ５３が当接する向きにねじりコイルばね９によって付勢されている。この場合、このカートリッジケース１ａでは、インナーロータ７の回動を規制する際にロック部材８の係合側端部５１ａが下シェル３とインナーロータ７との間に挟み込まれるようにして位置させられた状態で係合用凸部４５に係合側端部５１ａが係合するように構成されている。したがって、後述するように、インナーロータ７の回動を許容する際にインナーロータ７の外縁部から係合側端部５１ａを大きく離間させることなく係合用凸部４５に対する係合側端部５１ａの係合を解除することが可能となっている。この結果、図９に示すように、従来のディスクカートリッジとは異なり、ロック部材８を軸支するための凸部１５（回動軸）がインナーロータ７の極く近傍に形成されている。
【００２０】
このディスクカートリッジ１（カートリッジケース１ａ）では、図１に示すように、シャッタ部材５，６およびインナーロータ７によって下シェル３の開口部３ａが閉塞されて光ディスク１０に対するディスクアクセスが規制されている規制状態（インナーロータ７が閉塞位置に回動させられている状態）において、ロック部材８が係合用凸部４５に係合してインナーロータ７の回動を規制している。つまり、この規制状態では、ロック部材８における主板５１の係合側端部５１ａが、下シェル３の底板１１ａとインナーロータ７の主板４１ａとの間に挟み込まれるようにしてインナーロータ７の底面側に進入させられて係合用凸部４５に係合させられている。また、ロック部材８は、ねじりコイルばね９によって同図に示す矢印Ａ１の向きで付勢されてインナーロータ７の側壁４１ｂにストッパ５３が当接させられている。
【００２１】
この場合、図８に示すように、インナーロータ７の側壁４１ｂにロック部材８のストッパ５３を当接させることにより、同図に示す矢印Ａ１の向きでロック部材８が回動することに起因して係合側端部５１ａが係合用凸部４５から外れる事態（ロック部材８によるインナーロータ７の回動規制が解除される事態）が回避される。また、このディスクカートリッジ１では、係合用凸部４５がロック部材８における主板５１の厚みよりも十分に高くなるように形成されて、その先端部が溝部１７内に嵌入させられている。したがって、係合用凸部４５がロック部材８の主板５１を乗り越えることが防止されるため、係合用凸部４５と係合側端部５１ａとの係合が解除されることなく、ロック部材８によるインナーロータ７の回動規制状態が確実に維持される。これにより、シャッタ部材５，６およびインナーロータ７によって開口部３ａが閉塞された状態が維持されてカートリッジ本体２内への塵埃の侵入や光ディスク１０の傷付きが防止される。
【００２２】
一方、このディスクカートリッジ１を記録再生装置に装填した際には、まず、記録再生装置によってディスクカートリッジ１が装置内に引き込まれた際に、記録再生装置における位置決めピン（図示せず）が位置決め用凹部１２ａ，１２ｂおよび位置決め用孔１３ａ，１３ｂ内に進入する。この際に、位置決め用凹部１２ａ内に当接側端部５１ｂが突出させられているロック部材８がねじりコイルばね９による付勢力に抗して図１に示す矢印Ａ２の向きで回動させられる結果、ストッパ５３が側壁４１ｂから離間させられて係合側端部５１ａがインナーロータ７の側方に移動させられる。これにより、係合用凸部４５に対する係合側端部５１ａの係合が解除されて、ロック部材８によるインナーロータ７の回動規制が解除される。次いで、記録再生装置におけるシャッタ開閉手段が凸部４２ａ，４２ｂ間に係合させた回動操作用アーム（図示せず）を移動させてインナーロータ７をカートリッジ本体２に対して矢印Ｂの向きに回動させる。これに応じて、凸部２３が案内用スリット４３内をスライドさせられることにより、シャッタ部材５が下シェル３に対して矢印Ｃの向きに回動させられると共に、凸部４４が案内用スリット３２内をスライドさせられることにより、シャッタ部材６がシャッタ部材５に対して矢印Ｄの向きに回動させられる。これにより、図９に示すように、シャッタ部材５，６およびインナーロータ７による開口部３ａの閉塞が解除され（インナーロータ７が開口位置に回動させられた状態）、光ディスク１０に対するディスクアクセスが許容される。
【００２３】
このように、このカートリッジケース１ａによれば、ロック部材８が係合可能な係合用凸部４５をインナーロータ７における下シェル３側の一面に形成すると共に、少なくともインナーロータ７の回動を規制している状態において係合用凸部４５に係合する側の一端部（係合側端部５１ａ）が下シェル３とインナーロータ７との間に挟み込まれるようにしてロック部材８をカートリッジ本体２内に収容したことにより、インナーロータの側方にロック部材を配置してインナーロータの外周面にロックアームを係合させる構成の従来のディスクカートリッジとは異なり、インナーロータ７の回動を許容する際にインナーロータ７から係合側端部５１ａを大きく離間させることなく、係合用凸部４５に対する係合側端部５１ａの係合を解除することができる結果、ロック部材８を軸支する回動軸（凸部１５）をインナーロータ７の極く近傍に形成することができる。したがって、ロック部材８による占有領域を十分に小さくすることができる。この結果、十分な強度が得られるようにロック部材８を十分に大きく形成したとしても、カートリッジ本体２（下シェル３および上シェル４）の外径寸法を十分に小さくすることができる。これにより、ロック部材８によるインナーロータ７の回動規制を確実に実行可能としつつ、カートリッジケース１ａの小形化を図ることができる。
【００２４】
また、このカートリッジケース１ａによれば、その高さがロック部材８における係合側端部５１ａ（主板５１）の厚みよりも高くなるように係合用凸部４５を形成すると共に、係合用凸部４５の先端部を嵌入可能な溝部１７を下シェル３におけるインナーロータ７側の一面に形成したことにより、係合用凸部４５がロック部材８における主板５１の係合側端部５１ａを乗り越えることが防止されるため、係合用凸部４５と係合側端部５１ａとの係合が解除されることなく、ロック部材８によるインナーロータ７の回動規制状態を確実に維持することができる。
【００２５】
さらに、このカートリッジケース１ａによれば、回動規制状態においてインナーロータ７の外縁部に当接するストッパ５３をロック部材８に形成したことにより、ロック部材８が必要以上に回動する事態を回避することができる結果、係合側端部５１ａが係合用凸部４５に係合している状態を確実に維持することができる。これにより、ロック部材８によるインナーロータ７の回動規制状態を一層確実に維持することができる。
【００２６】
また、このディスクカートリッジ１によれば、カートリッジケース１ａ内に光ディスク１０（ディスク状記録媒体）を収容したことにより、ロック部材８による占有領域を十分に小さくすることができる結果、カートリッジケース１ａ内に十分に大きな（大径の）光ディスク１０を収容して大容量のディスクカートリッジ１を提供することができる。また、光ディスク１０の記録容量が十分のときには、カートリッジ本体２（カートリッジケース１ａ）を一層小形化することができる。
【００２７】
なお、本発明は、上記した構成に限定されない。例えば、上記のディスクカートリッジ１では、ロック部材８によるインナーロータ７の回動が許容されている状態においてロック部材８における主板５１の係合側端部５１ａがインナーロータ７の側方に退避させられる構成を採用しているが、本発明はこれに限定されず、例えば、インナーロータ７の回動を許容している状態において主板５１の係合側端部５１ａが下シェル３とインナーロータ７との間に進入させられた状態が維持される構成（係合側端部５１ａがインナーロータ７の側方に退避させられることなく係合用凸部４５に対する係合が解除される構成）を採用することもできる。具体的には、係合用凸部４５をインナーロータ７のさらに内周側に形成すると共に、この係合用凸部４５に係合している状態、および係合用凸部４５に対する係合を解除した状態の双方においてロック部材８が下シェル３とインナーロータ７との間に挟み込まれた状態が維持されるように構成することができる。この構成によれば、ロック部材８による占有領域を一層小さくすることができる。また、ロック部材８を軸支するための凸部１５を下シェル３におけるインナーロータ７との対向面に設けることにより、下シェル３とインナーロータ７との間においてロック部材８を軸支する構成を採用することもできる。この構成によれば、ロック部材８による占有領域をさらに小さくすることができる。さらに、下シェル３とインナーロータ７との間にロック部材８が完全に挟み込まれた構成を採用することで、ロック部材８による占有領域を実質的にゼロとすることもできる。
【００２８】
さらに、上記のディスクカートリッジ１では、下シェル３の凸部１５によってロック部材８を軸支すると共に、このロック部材８を付勢するねじりコイルばね９を凸部１６によって軸支する構成を採用しているが、本発明における回動規制部材を付勢する付勢部材の取り付け構成はこれに限定されない。例えば、図１０に示すディスクカートリッジ６１におけるカートリッジケース６１ａのように、ロック部材８Ａ（本発明における回動規制部材の他の一例）とねじりコイルばね９とをカートリッジケース６１ａの厚み方向で重ね合わせてカートリッジ本体２内に収容して単一の凸部１５Ａによって軸支する構成を採用することができる。なお、上記のディスクカートリッジ１と同一の構成要素については、同一の符号を付して重複する説明を省略する。この構成によれば、ロック部材８Ａおよびねじりコイルばね９によって占有される領域を一層小さくすることができるため、カートリッジ本体２（下シェル３および上シェル４）の外径寸法を十分に小さくすることができる。
【００２９】
また、本発明における回動規制部材を付勢する付勢部材は、ねじりコイルばね９に限定されず、板ばね等で構成することができる。さらに、ディスクカートリッジ１では、ロック部材８とねじりコイルばね９とを別個の部材として形成して取り付けているが、例えば、本発明における回動規制部材と、回動規制部材を付勢する付勢部材とを樹脂材料等で一体成形することもできる。この構成によれば、別個に形成したロック部材８とねじりコイルばね９とをそれぞれ取り付けているディスクカートリッジ１と比較して、１つの取り付け工程によって回動規制部材と付勢部材とを下シェル３に取り付けることができるため、ディスクカートリッジを短時間でしかも容易に組み立てることができる。
【００３０】
また、上記のディスクカートリッジ１では、シャッタ部材５，６およびインナーロータ７によって下シェル３の開口部３ａを開閉する構成が採用されているが、例えば、単一のシャッタ部材とインナーロータとによって開口部３ａを開閉する構成を採用することもできる。さらに、本発明におけるディスク状記録媒体としては、上記した書き換え型の光ディスク１０に限定されず、再生専用タイプの光ディスクや追記型の光ディスクなどの各種の光ディスク、および光磁気ディスクや磁気ディスクも含まれる。
【図面の簡単な説明】
【００３１】
【図１】シャッタ部材５，６およびインナーロータ７によって開口部３ａが閉塞されている状態のディスクカートリッジ１を上シェル４を透過させて図示した平面図である。
【図２】記録再生装置に対する挿入方向側から見たディスクカートリッジ１の側面図である。
【図３】下シェル３の平面図である。
【図４】シャッタ部材５の平面図である。
【図５】シャッタ部材６の平面図である。
【図６】インナーロータ７の平面図である。
【図７】ロック部材８の平面図である。
【図８】インナーロータ７の係合用凸部４５にロック部材８における主板５１の係合側端部５１ａが係合している状態のディスクカートリッジ１の断面図である。
【図９】シャッタ部材５，６およびインナーロータ７による開口部３ａの閉塞が解除された状態（開口部３ａが開口された状態）のディスクカートリッジ１を上シェル４を透過させて図示した平面図である。
【図１０】ロック部材８Ａが取り付けられている部位のディスクカートリッジ６１の平面図である。
【符号の説明】
【００３２】
１，６１  ディスクカートリッジ
１ａ，６１ａ  カートリッジケース
２  カートリッジ本体
３  下シェル
３ａ，７ａ  開口部
４  上シェル
５，６  シャッタ部材
７  インナーロータ
８，８Ａ  ロック部材
９  ねじりコイルばね
１０  光ディスク
１１ａ  底板
１５，１５Ａ，１６  凸部
１７  溝部
４１ａ  主板
４１ｂ  側壁
４５  係合用凸部
５１  主板
５１ａ  係合側端部
５１ｂ  当接側端部
５２  取付用孔
５３  ストッパ
【図１】
2007102967.tif 000003
【図２】
2007102967.tif 000004
【図３】
2007102967.tif 000005
【図４】
2007102967.tif 000006
【図５】
2007102967.tif 000007
【図６】
2007102967.tif 000008
【図７】
2007102967.tif 000009
【図８】
2007102967.tif 000010
【図９】
2007102967.tif 000011
【図１０】
2007102967.tif 000012